(57)【要約】【課題】同一ラインヘッド内のつなぎ補正と、異なるラインヘッド間の色ズレ補正とを両立できる記録位置補正方法を提供すること。【解決手段】各ヘッドモジュールＹ１〜４、Ｍ１〜４、Ｃ１〜４、Ｋ１〜４の位置誤差と傾き誤差とが検知できる検知チャートを印刷し、検知チャートから位置誤差と傾き誤差とを取得し、位置誤差に基づいて各ヘッドモジュールＹ１〜４、Ｍ１〜４、Ｃ１〜４、Ｋ１〜４の記録タイミングを補正し、傾き誤差に基づいて各ヘッドモジュールＹ１〜４、Ｍ１〜４、Ｃ１〜４、Ｋ１〜４が記録する画像の傾きを補正し、画像の傾き補正に基づいて記録タイミングを再補正する。【選択図】図２
2020124901.tif 000002
【特許請求の範囲】
【請求項１】
第１のラインヘッドと第２のラインヘッドとを備えた画像記録装置において、前記各ヘッドモジュールによる記録媒体への画像記録位置を補正する記録位置補正方法であって、
前記第１のラインヘッドは、複数の吐出ノズルが列状に形成された短尺のヘッドモジュールが、吐出ノズル列方向に複数配列されて構成されており、前記吐出ノズル列に交差する方向に相対的に移動操作される前記記録媒体に前記吐出ノズルから吐出するインクを着弾させ、
前記第２のラインヘッドは、前記第１のラインヘッドと同様の構成を有し、前記第１のラインヘッドから前記記録媒体の相対的移動方向に離間して配置され、前記記録媒体に前記吐出ノズルから吐出するインクを着弾させ、
前記各ヘッドモジュールの前記記録媒体の相対的移動方向の画像記録位置の基準位置に対する位置誤差と、前記各ヘッドモジュールの傾きの基準線に対する傾き誤差と、を検知するための検知チャートを印刷し、
前記印刷された検知チャートを読み取って前記各ヘッドモジュールの位置誤差と傾き誤差とを取得し、
前記取得した位置誤差に基づき、前記各ヘッドモジュールそれぞれの前記記録媒体への画像記録タイミングを補正し、
前記取得した傾き誤差に基づき、前記各ヘッドモジュールそれぞれの前記記録媒体に記録する記録画像の傾きを補正し、
前記記録画像の傾きの補正に基づき、前記各ヘッドモジュールそれぞれの前記記録媒体への画像記録タイミングを再補正することを特徴とする記録位置補正方法。
【請求項２】
前記画像記録タイミングの補正は、前記第１のラインヘッドの各ヘッドモジュールについて行い、
前記記録画像の傾きの補正は、前記第２のラインヘッドの各ヘッドモジュールについて、前記第１のラインヘッドの各ヘッドモジュールを基準として行い、
前記画像記録タイミングの再補正は、前記第２のラインヘッドの各ヘッドモジュールについて行うことを特徴とする請求項１記載の記録位置補正方法。
【請求項３】
前記記録画像の傾きの補正は、前記ヘッドモジュールの傾き誤差を相殺する形状に前記記録画像を補正することを特徴とする請求項１又は２記載の記録位置補正方法。
【請求項４】
前記記録画像の傾きの補正は、前記傾き誤差が所定の許容値を超えている場合に行うことを特徴とする請求項３記載の記録位置補正方法。
【請求項５】
前記第２のラインヘッドの各ヘッドモジュールの傾き誤差は、該各ヘッドモジュールに対応する前記第１のラインヘッドの各ヘッドモジュールの吐出ノズル列を基準線とする傾き誤差であることを特徴とする請求項１〜４に何れかに記載の記録位置補正方法。
【請求項６】
前記第１のラインヘッドの各ヘッドモジュールの位置誤差は、該第１のラインヘッド内で隣接するヘッドモジュール間で、一方のヘッドモジュールの位置を基準位置とする他方のヘッドモジュールの位置誤差であり、
前記第２のラインヘッドの各ヘッドモジュールの位置誤差は、該各ヘッドモジュールに対応する前記第１のラインヘッドの各ヘッドモジュールによる画像記録タイミングの補正後の記録位置を基準位置とする位置誤差であることを特徴とする請求項１〜５に何れかに記載の記録位置補正方法。
【請求項７】
前記検知チャートは、
同一のラインヘッド内で隣接するヘッドモジュール間で、一方のヘッドモジュールの位置を基準位置とする他方のヘッドモジュールの位置誤差を示す第１の検知パターンと、
前記第２のラインヘッドの各ヘッドモジュールに対応する前記第１のラインヘッドの各ヘッドモジュールによる記録位置を基準位置とする前記第２のラインヘッドの各ヘッドモジュールの位置誤差を示す第２の検知パターンと
を少なくとも含むことを特徴とする請求項６記載の記録位置補正方法。
【請求項８】
前記第１の検知パターン及び前記第２の検知パターンは、互いに同一構造であり、２つ以上の異なるヘッドモジュールによって印刷されることを特徴とする請求項７記載の記録位置補正方法。
【請求項９】
前記第２のラインヘッドの第１の検知パターンと、前記第２の検知パターンとを、前記記録媒体の相対的移動方向について対応する位置に印刷することを特徴とする請求項７又は８記載の記録位置補正方法。
【請求項１０】
前記第１のラインヘッドについての位置誤差は、該第１のラインヘッドのいずれか一つのヘッドモジュールを位置基準とする隣接するヘッドモジュールについての位置誤差と、この隣接するヘッドモジュールを位置基準とするさらに隣接するヘッドモジュールについての位置誤差と、順次隣接するヘッドモジュールについての直近のヘッドモジュールを位置基準とする位置誤差とを全て含み、
前記第２のラインヘッドの各ヘッドモジュールの位置誤差は、該各ヘッドモジュールに対応する前記第１のラインヘッドの各ヘッドモジュールによる画像記録タイミングの補正後の記録位置を基準位置とする位置誤差であることを特徴とする請求項１〜５に何れかに記載の記録位置補正方法。
【請求項１１】
前記第１のラインヘッドについての位置誤差は、該第１のラインヘッドのいずれか一つのヘッドモジュールを位置基準とする隣接するヘッドモジュールについての位置誤差と、この隣接するヘッドモジュールを位置基準とするさらに隣接するヘッドモジュールについての位置誤差と、順次隣接するヘッドモジュールについての直近のヘッドモジュールを位置基準とする位置誤差とを全て含み、
前記第２のラインヘッドについての位置誤差は、前記第１のラインヘッドのいずれか一つのヘッドモジュールを位置基準とする該第２のラインヘッドのいずれか一つのヘッドモジュールの位置誤差と、該第２のラインヘッドのいずれか一つのヘッドモジュールを位置基準とする隣接するヘッドモジュールについての位置誤差と、この隣接するヘッドモジュールを位置基準とするさらに隣接するヘッドモジュールについての位置誤差と、順次隣接するヘッドモジュールについての直近のヘッドモジュールを位置基準とする位置誤差とを全て含むことを特徴とする請求項１〜５に何れかに記載の記録位置補正方法。
【請求項１２】
前記画像記録タイミングの再補正は、前記記録画像の傾きの補正によって生ずる記録位置の変動量を加算した位置誤差に基づいて行うことを特徴とする請求項６〜１１の何れかに記載の記録位置補正方法。
【請求項１３】
前記傾き誤差は、各ヘッドモジュールの一端部近傍の位置誤差と他端部近傍の位置誤差との差分に基づいて算出することを特徴とする請求項１〜１２の何れかに記載の記録位置補正方法。
【請求項１４】
前記第１のラインヘッドにより、前記第２のラインヘッドにより吐出させるインクよりも明度の低いインクを吐出させることを特徴とする請求項１〜１３の何れかに記載の記録位置補正方法。
【請求項１５】
前記第１のラインヘッドにより、ブラック色のインクを吐出させることを特徴とする請求項１４記載の記録位置補正方法。
【請求項１６】
複数の吐出ノズルが列状に形成された短尺のヘッドモジュールが、吐出ノズル列方向に複数配列されて構成され、前記吐出ノズル列に交差する方向に相対的に移動操作される記録媒体に前記吐出ノズルから吐出するインクを着弾させる第１のラインヘッドと、
前記第１のラインヘッドと同様の構成を有し、前記第１のラインヘッドから前記記録媒体の相対的移動方向に離間して配置され、前記記録媒体に前記吐出ノズルから吐出するインクを着弾させる第２のラインヘッドと、
前記各ラインヘッドにより、前記各ヘッドモジュールの前記記録媒体の相対的移動方向の画像記録位置の基準位置に対する位置誤差と、前記各ヘッドモジュールの傾きの基準線に対する傾き誤差と、を検知するための検知チャートを印刷する検知チャート印刷手段と、
前記検知チャートを読み取って前記各ヘッドモジュールの位置誤差と傾き誤差とを取得する誤差取得手段と、
前記位置誤差に基づき、前記各ヘッドモジュールそれぞれの前記記録媒体への画像記録タイミングを補正する記録タイミング補正手段と、
前記傾き誤差に基づき、前記各ヘッドモジュールそれぞれの前記記録媒体に記録する記録画像の傾きを補正する画像傾き補正手段と
を備え、
前記記録タイミング補正手段により、前記位置誤差に基づいて画像記録タイミングを補正し、前記画像傾き補正手段により、前記傾き誤差に基づいて記録画像の傾きを補正し、該記録画像の傾きの補正に基づき、画像記録タイミングを再補正して、前記各ヘッドモジュールによる前記記録媒体への画像記録位置を補正することを特徴とする画像記録装置。
【請求項１７】
請求項２〜１５の何れかに記載の記録位置補正方法を実行することを特徴とする請求項１６記載の画像記録装置。
【請求項１８】
コンピュータ装置において実行されて画像記録装置を制御するプログラムであって、
請求項１〜１５の何れかに記載の記録位置補正方法を実行することを特徴とする記録位置補正プログラム。
【発明の詳細な説明】
【技術分野】
【０００１】
本発明は、記録位置補正方法、画像記録装置及び記録位置補正プログラムに関し、より詳しくは、同一のラインヘッド内の各ヘッドモジュールが記録する画像間のつながりを実現する補正と、異なるラインヘッドの対応するヘッドモジュールが記録する画像間の記録位置の一致を実現する補正（色ズレ補正）とを両立できる記録位置補正方法、画像記録装置及び記録位置補正プログラムに関する。
【背景技術】
【０００２】
いわゆる「ワンパスインクジェット印刷装置」は、１ライン（行）ずつ画像を記録していく方式の画像記録装置であり、１ドットずつ画像を記録していく「シリアルプリンタ」よりも高速な記録が可能であるため、従来から業務用の画像記録装置として好適に使用されている。詳しくは、ワンパスインクジェット印刷装置は、記録媒体の幅に沿う長尺の記録ヘッド（ラインヘッド）が固定されて配置され、その直下を記録媒体が搬送されるように構成され、搬送中の記録媒体に向けてラインヘッドがインクを吐出し、記録媒体に１ラインずつ画像を記録する。
【０００３】
ワンパスインクジェット印刷装置においては、多数のインクの吐出口（吐出ノズル）を記録媒体の全幅にわたって記録媒体の相対的移動方向と交差する方向に正確に配列しなければ記録画像の品質が低下する。ラインヘッドの製造には精度が要求され、その製造は困難で、それ自体が高価なものとなっている。そのため、近年、複数の短尺のヘッドモジュールを繋ぎ合わせるように記録媒体の幅方向に配列させ、長尺のラインヘッドを構成させたワンパスインクジェット印刷装置が提案されている。
【０００４】
このようなラインヘッドを記録媒体の搬送方向に離間して複数備えたワンパスインクジェット印刷装置においては、機械的取付け精度の限界から、同一のラインヘッド内のヘッドモジュール間での位置ずれや、異なるラインヘッド間での位置ずれが生ずる虞がある。
【０００５】
特許文献１に記載された画像記録装置では、基準となるラインヘッドでラインヘッド内誤差を取得する補正パターンを記録し、基準となるラインヘッド及び他のラインヘッドによりラインヘッド間誤差を取得する補正パターンを記録する。これらの補正パターンを読み取って各誤差を取得し、ラインヘッド内誤差に基づいて基準となるラインヘッドの各ヘッドモジュールの画像記録タイミングを補正し、ラインヘッド間誤差に基づいて他のラインヘッドの各ヘッドモジュールの画像記録タイミングを補正している。
【０００６】
特許文献２に記載された画像記録装置では、異なるヘッドモジュールによって記録された画像間のずれを検出する検出手段と、検出手段による検出結果に基づいて画像間のずれを補正する補正手段とを備えている。画像間のずれには、ヘッドモジュールの傾きに起因するずれも含まれている。
【先行技術文献】
【特許文献】
【０００７】
【特許文献１】特開２０１５−６６８５１号公報
【特許文献２】特開２００５−５３１６７号公報
【発明の概要】
【発明が解決しようとする課題】
【０００８】
前述した従来の画像記録装置においては、同一のラインヘッド内の各ヘッドモジュールが記録する画像間のつながりを実現する補正と、異なるラインヘッドの対応するヘッドモジュールが記録する画像間の（記録媒体の搬送方向の）記録位置の一致を実現する補正（色ズレ補正）とを両立できない。
【０００９】
特許文献１では、ラインヘッド間誤差を、ヘッドモジュールを代表する１点で取得している。そのため、ラインヘッド間の対応するヘッドモジュールにおいて、吐出ノズル列の方向が一致しない場合（傾きがある場合）には、記録媒体の搬送方向の記録位置を良好に補正できない。また、ラインヘッド間誤差を優先的に補正するため、ラインヘッド内誤差が良好に補正されない。
【００１０】
特許文献２では、各ヘッドモジュールの傾きを取得する検出センサの、製造時の取り付け誤差を予め把握しておく必要があり、この取付け誤差に起因して良好な補正ができない。また、ヘッドモジュールの傾きに起因するずれを補正すると、ラインヘッド間誤差に影響が生じてしまい、この影響が補正されない。
【００１１】
そこで本発明は、同一のラインヘッド内の各ヘッドモジュールが記録する画像間のつながりを実現する補正と、異なるラインヘッドの対応するヘッドモジュールが記録する画像間の記録位置の一致を実現する補正（色ズレ補正）とを両立できる記録位置補正方法、画像記録装置及び記録位置補正プログラムを提供することを課題とする。
【００１２】
さらに本発明の他の課題は、以下の記載によって明らかとなる。
【課題を解決するための手段】
【００１３】
本発明の上記課題は、以下の各発明によって解決される。
【００１４】
１．
第１のラインヘッドと第２のラインヘッドとを備えた画像記録装置において、前記各ヘッドモジュールによる記録媒体への画像記録位置を補正する記録位置補正方法であって、
前記第１のラインヘッドは、複数の吐出ノズルが列状に形成された短尺のヘッドモジュールが、吐出ノズル列方向に複数配列されて構成されており、前記吐出ノズル列に交差する方向に相対的に移動操作される前記記録媒体に前記吐出ノズルから吐出するインクを着弾させ、
前記第２のラインヘッドは、前記第１のラインヘッドと同様の構成を有し、前記第１のラインヘッドから前記記録媒体の相対的移動方向に離間して配置され、前記記録媒体に前記吐出ノズルから吐出するインクを着弾させ、
前記各ヘッドモジュールの前記記録媒体の相対的移動方向の画像記録位置の基準位置に対する位置誤差と、前記各ヘッドモジュールの傾きの基準線に対する傾き誤差と、を検知するための検知チャートを印刷し、
前記印刷された検知チャートを読み取って前記各ヘッドモジュールの位置誤差と傾き誤差とを取得し、
前記取得した位置誤差に基づき、前記各ヘッドモジュールそれぞれの前記記録媒体への画像記録タイミングを補正し、
前記取得した傾き誤差に基づき、前記各ヘッドモジュールそれぞれの前記記録媒体に記録する記録画像の傾きを補正し、
前記記録画像の傾きの補正に基づき、前記各ヘッドモジュールそれぞれの前記記録媒体への画像記録タイミングを再補正することを特徴とする記録位置補正方法。
２．
前記画像記録タイミングの補正は、前記第１のラインヘッドの各ヘッドモジュールについて行い、
前記記録画像の傾きの補正は、前記第２のラインヘッドの各ヘッドモジュールについて、前記第１のラインヘッドの各ヘッドモジュールを基準として行い、
前記画像記録タイミングの再補正は、前記第２のラインヘッドの各ヘッドモジュールについて行うことを特徴とする前記１記載の記録位置補正方法。
３．
前記記録画像の傾きの補正は、前記ヘッドモジュールの傾き誤差を相殺する形状に前記記録画像を補正することを特徴とする前記１又は２記載の記録位置補正方法。
４．
前記記録画像の傾きの補正は、前記傾き誤差が所定の許容値を超えている場合に行うことを特徴とする前記３記載の記録位置補正方法。
５．
前記第２のラインヘッドの各ヘッドモジュールの傾き誤差は、該各ヘッドモジュールに対応する前記第１のラインヘッドの各ヘッドモジュールの吐出ノズル列を基準線とする傾き誤差であることを特徴とする前記１〜４に何れかに記載の記録位置補正方法。
６．
前記第１のラインヘッドの各ヘッドモジュールの位置誤差は、該第１のラインヘッド内で隣接するヘッドモジュール間で、一方のヘッドモジュールの位置を基準位置とする他方のヘッドモジュールの位置誤差であり、
前記第２のラインヘッドの各ヘッドモジュールの位置誤差は、該各ヘッドモジュールに対応する前記第１のラインヘッドの各ヘッドモジュールによる画像記録タイミングの補正後の記録位置を基準位置とする位置誤差であることを特徴とする前記１〜５に何れかに記載の記録位置補正方法。
７．
前記検知チャートは、
同一のラインヘッド内で隣接するヘッドモジュール間で、一方のヘッドモジュールの位置を基準位置とする他方のヘッドモジュールの位置誤差を示す第１の検知パターンと、
前記第２のラインヘッドの各ヘッドモジュールに対応する前記第１のラインヘッドの各ヘッドモジュールによる記録位置を基準位置とする前記第２のラインヘッドの各ヘッドモジュールの位置誤差を示す第２の検知パターンと
を少なくとも含むことを特徴とする前記６記載の記録位置補正方法。
８．
前記第１の検知パターン及び前記第２の検知パターンは、互いに同一構造であり、２つ以上の異なるヘッドモジュールによって印刷されることを特徴とする前記７記載の記録位置補正方法。
９．
前記第２のラインヘッドの第１の検知パターンと、前記第２の検知パターンとを、前記記録媒体の相対的移動方向について対応する位置に印刷することを特徴とする前記７又は８記載の記録位置補正方法。
１０．
前記第１のラインヘッドについての位置誤差は、該第１のラインヘッドのいずれか一つのヘッドモジュールを位置基準とする隣接するヘッドモジュールについての位置誤差と、この隣接するヘッドモジュールを位置基準とするさらに隣接するヘッドモジュールについての位置誤差と、順次隣接するヘッドモジュールについての直近のヘッドモジュールを位置基準とする位置誤差とを全て含み、
前記第２のラインヘッドの各ヘッドモジュールの位置誤差は、該各ヘッドモジュールに対応する前記第１のラインヘッドの各ヘッドモジュールによる画像記録タイミングの補正後の記録位置を基準位置とする位置誤差であることを特徴とする前記１〜５に何れかに記載の記録位置補正方法。
１１．
前記第１のラインヘッドについての位置誤差は、該第１のラインヘッドのいずれか一つのヘッドモジュールを位置基準とする隣接するヘッドモジュールについての位置誤差と、この隣接するヘッドモジュールを位置基準とするさらに隣接するヘッドモジュールについての位置誤差と、順次隣接するヘッドモジュールについての直近のヘッドモジュールを位置基準とする位置誤差とを全て含み、
前記第２のラインヘッドについての位置誤差は、前記第１のラインヘッドのいずれか一つのヘッドモジュールを位置基準とする該第２のラインヘッドのいずれか一つのヘッドモジュールの位置誤差と、該第２のラインヘッドのいずれか一つのヘッドモジュールを位置基準とする隣接するヘッドモジュールについての位置誤差と、この隣接するヘッドモジュールを位置基準とするさらに隣接するヘッドモジュールについての位置誤差と、順次隣接するヘッドモジュールについての直近のヘッドモジュールを位置基準とする位置誤差とを全て含むことを特徴とする前記１〜５に何れかに記載の記録位置補正方法。
１２．
前記画像記録タイミングの再補正は、前記記録画像の傾きの補正によって生ずる記録位置の変動量を加算した位置誤差に基づいて行うことを特徴とする前記６〜１１の何れかに記載の記録位置補正方法。
１３．
前記傾き誤差は、各ヘッドモジュールの一端部近傍の位置誤差と他端部近傍の位置誤差との差分に基づいて算出することを特徴とする前記１〜１２の何れかに記載の記録位置補正方法。
１４．
前記第１のラインヘッドにより、前記第２のラインヘッドにより吐出させるインクよりも明度の低いインクを吐出させることを特徴とする前記１〜１３の何れかに記載の記録位置補正方法。
１５．
前記第１のラインヘッドにより、ブラック色のインクを吐出させることを特徴とする前記１４記載の記録位置補正方法。
１６．
複数の吐出ノズルが列状に形成された短尺のヘッドモジュールが、吐出ノズル列方向に複数配列されて構成され、前記吐出ノズル列に交差する方向に相対的に移動操作される記録媒体に前記吐出ノズルから吐出するインクを着弾させる第１のラインヘッドと、
前記第１のラインヘッドと同様の構成を有し、前記第１のラインヘッドから前記記録媒体の相対的移動方向に離間して配置され、前記記録媒体に前記吐出ノズルから吐出するインクを着弾させる第２のラインヘッドと、
前記各ラインヘッドにより、前記各ヘッドモジュールの前記記録媒体の相対的移動方向の画像記録位置の基準位置に対する位置誤差と、前記各ヘッドモジュールの傾きの基準線に対する傾き誤差と、を検知するための検知チャートを印刷する検知チャート印刷手段と、
前記検知チャートを読み取って前記各ヘッドモジュールの位置誤差と傾き誤差とを取得する誤差取得手段と、
前記位置誤差に基づき、前記各ヘッドモジュールそれぞれの前記記録媒体への画像記録タイミングを補正する記録タイミング補正手段と、
前記傾き誤差に基づき、前記各ヘッドモジュールそれぞれの前記記録媒体に記録する記録画像の傾きを補正する画像傾き補正手段と
を備え、
前記記録タイミング補正手段により、前記位置誤差に基づいて画像記録タイミングを補正し、前記画像傾き補正手段により、前記傾き誤差に基づいて記録画像の傾きを補正し、該記録画像の傾きの補正に基づき、画像記録タイミングを再補正して、前記各ヘッドモジュールによる前記記録媒体への画像記録位置を補正することを特徴とする画像記録装置。
１７．
前記２〜１５の何れかに記載の記録位置補正方法を実行することを特徴とする前記１６記載の画像記録装置。
１８．
コンピュータ装置において実行されて画像記録装置を制御するプログラムであって、
前記１〜１５の何れかに記載の記録位置補正方法を実行することを特徴とする記録位置補正プログラム。
【発明の効果】
【００１５】
本発明によれば、同一のラインヘッド内の各ヘッドモジュールが記録する画像間のつながりを実現する補正と、異なるラインヘッドの対応するヘッドモジュールが記録する画像間の記録位置の一致を実現する補正（色ズレ補正）とを両立できる記録位置補正方法、画像記録装置及び記録位置補正プログラムを提供することができる。
【図面の簡単な説明】
【００１６】
【図１】実施の形態に係る画像記録装置の全体構成を示す模式図
【図２】前記画像記録装置の要部側面図（ａ）及びラインヘッド上面から搬送ドラムを俯瞰した平面図（ｂ）
【図３】前記画像記録装置の制御部の構成を示すブロック図
【図４】前記画像記録装置の制御部の画像処理部における記録画像データの分割を示す図
【図５】前記画像記録装置における制御信号を示すタイムチャート
【図６】前記画像記録装置が印刷する検知チャートを示す図
【図７】前記検知チャートにおける第１及び第２の検知パターンを示す図
【図８】位置誤差の取得方法を説明する図
【図９】位置誤差検知パターンの拡大図
【図１０】傾き誤差取得のための位置誤差の取得を説明する図
【図１１】傾き誤差の取得方法を説明する図
【図１２】ヘッドモジュールの傾き補正を説明する図
【図１３】位置誤差及び傾き誤差がない場合の検出パターン（ａ）及びヘッドモジュールの配置を示す図（ｂ）
【図１４】位置誤差及び傾き誤差がある場合の検出パターン（ａ）及びヘッドモジュールの配置を示す図（ｂ）
【図１５】位置誤差を補正したＫ色直線（ａ）及び位置誤差と傾き誤差を補正したＣ色直線（ｂ）
【図１６】位置誤差及び傾き誤差の補正手順を示すフローチャート
【発明を実施するための形態】
【００１７】
以下、本発明の実施の形態に係る画像記録装置について、図面を参照して説明する。本発明の実施の形態に係る記録位置補正方法は、この画像記録装置の動作として具現化され、また、この画像記録装置が本発明の実施の形態に係る記録位置補正プログラムを実行することによって実施される。ただし、発明の範囲は図示例に限定されない。以下の説明において、同一の機能及び構成を有するものについては、同一の符号を付し、その説明を省略することがある。
【００１８】
〔画像記録装置の構成〕
図１は、実施の形態に係る画像記録装置の全体構成を示す模式図である。
【００１９】
画像記録装置１は、図１に示すように、給紙部１０と、検知チャート印刷手段ともなる画像形成部２０と、排紙部３０と、制御部４０と、インク供給部５０とを備えている。画像記録装置１では、制御部４０の制御に基づいて、給紙部１０から画像形成部２０に搬送された記録媒体Ｐに対して、インク供給部５０から供給されたインクにより画像形成部２０で画像を形成した後、その記録媒体Ｐを排紙部３０に排出する。
【００２０】
給紙部１０は、画像形成が行われる記録媒体Ｐを保持し、この記録媒体Ｐを画像形成部２０に供給する。給紙部１０は、給紙トレー１１と、搬送部１２とを有する。
【００２１】
給紙トレー１１は、一又は複数の記録媒体Ｐを重ねて載置可能に設けられた板状の部材である。給紙トレー１１は、載置された記録媒体Ｐの量に応じて上下動するように設けられており、記録媒体Ｐが搬送部１２により搬送される位置で保持される。
【００２２】
搬送部１２は、輪状のベルト１２３を複数（例えば、２本）のローラー１２１，１２２により回転駆動してベルト１２３上の記録媒体Ｐを搬送する搬送機構、及び、給紙トレー１１に載置された記録媒体Ｐをベルト１２３に受け渡す供給部を有する。搬送部１２は、供給部によりベルト１２３に受け渡された記録媒体Ｐをベルト１２３の回転動作によって搬送する。
【００２３】
画像形成部２０は、搬入された記録媒体Ｐ上にインクを吐出させて画像を形成する。画像形成部２０は、受け渡しユニット２２と、用紙加熱部２３と、搬送ドラム２１と、インクジェットヘッド２４と、定着部２５と、デリバリー部２６と、用紙センサ２７とを有している。
【００２４】
受け渡しユニット２２は、給紙部１０の搬送部１２と搬送ドラム２１との間の位置に設けられ、搬送部１２により搬送された記録媒体Ｐを搬送ドラム２１に受け渡す。受け渡しユニット２２は、搬送部１２により搬送された記録媒体Ｐの一端を担持するスイングアーム部２２１や、スイングアーム部２２１に担持された記録媒体Ｐを搬送ドラム２１に受け渡す円筒状の受け渡しドラム２２２等を有する。受け渡しユニット２２は、搬送部１２上の記録媒体Ｐをスイングアーム部２２１により取り上げ、受け渡しドラム２２２に受け渡し、この記録媒体Ｐを搬送ドラム２１の外周面に沿う向きに誘導して、搬送ドラム２１に受け渡す。
【００２５】
用紙加熱部２３は、搬送ドラム２１に担持された記録媒体Ｐを加熱する。用紙加熱部２３は、例えば、赤外線ヒータ等を有し、通電に応じて発熱する。用紙加熱部２３は、搬送ドラム２１の外周面の近傍であって、搬送ドラム２１の回転による記録媒体Ｐの搬送方向についてインクジェットヘッド２４の上流側に設けられる。用紙加熱部２３は、搬送ドラム２１に担持されて用紙加熱部２３の近傍を通過する記録媒体Ｐが所定の温度となるように、その発熱を制御部４０により制御される。
【００２６】
搬送ドラム２１は、円筒状の外周面に沿って記録媒体Ｐを担持し、回転されることにより記録媒体Ｐを搬送し、インクジェットヘッド２４に対して相対的に移動させる。搬送ドラム２１の搬送面は、用紙加熱部２３、インクジェットヘッド２４及び定着部２５に対向し、搬送する記録媒体Ｐに対して画像形成に係る処理が順次行われるようにする。
【００２７】
インクジェットヘッド２４は、搬送ドラム２１に担持された記録媒体Ｐに対してインクを吐出し、画像を形成する。インクジェットヘッド２４は、Ｃ（シアン）、Ｍ（マゼンタ）、Ｙ（イエロー）、Ｋ（ブラック）の各色について個別に設けられている。図１では、搬送ドラム２１の回転により搬送される記録媒体Ｐの搬送方向に対して上流からＹ、Ｍ、Ｃ、Ｋの各色に対応したインクジェットヘッド２４が順次設けられている。
【００２８】
インクジェットヘッド２４は、記録媒体Ｐの搬送方向に垂直な方向（幅方向）について記録媒体Ｐの全幅をカバーする長さ（幅）で設けられている。すなわち、この実施形態における画像記録装置１は、ワンパス方式のラインヘッド型画像記録装置である。インクジェットヘッド２４は、４個のラインヘッドから構成されている。本発明では、ラインヘッドのうちの１個が「第１のラインヘッド」となり、他のラインヘッドが「第２のラインヘッド」となる。
【００２９】
第１のラインヘッド（Ｋ（ブラック））は、複数の吐出ノズルが列状に形成された短尺のヘッドモジュールが、吐出ノズル列方向に複数配列されて構成され、吐出ノズル列に交差する方向に相対的に移動操作される記録媒体Ｐに吐出ノズルから吐出するインクを着弾させる。第２のラインヘッド（Ｃ（シアン）、Ｍ（マゼンタ）、Ｙ（イエロー））は、第１のラインヘッドと同様の構成を有し、第１のラインヘッドから記録媒体Ｐの相対的移動方向に離間して配置されている。
【００３０】
定着部２５は、インクジェットヘッド２４により記録媒体Ｐ上にインクが吐出された後に、そのインクを硬化させるためのエネルギー線を記録装置Ｐに照射する。定着部２５は、例えば、低圧水銀ランプ等の蛍光管を有し、蛍光管を発光させて紫外線等のエネルギー線を照射する。定着部２５は、搬送ドラム２１の外周面の近傍であって、搬送ドラム２１の回転による記録媒体Ｐの搬送方向についてインクジェットヘッド２４の下流側に設けられる。定着部２５は、搬送ドラム２１に担持されてインクが吐出された記録媒体Ｐに対してエネルギー線を照射し、エネルギー線の作用により記録媒体Ｐ上に吐出されたインクを硬化させる。
【００３１】
紫外線を発する蛍光管としては、低圧水銀ランプの他、数百Ｐａ〜１ＭＰａ程度の動作圧力を有する水銀ランプ、殺菌灯として利用可能な光源、冷陰極管、紫外線レーザ光源、メタルハライドランプ、発光ダイオード等が挙げられる。これらの中で、紫外線をより高照度で照射可能であって消費電力の少ない光源（例えば、発光ダイオード等）が望ましい。また、エネルギー線は紫外線に限らず、インクの性質に応じてインクを硬化させる性質を有するエネルギー線であればよく、光源もエネルギー線の波長などに応じて選択できる。
【００３２】
デリバリー部２６は、定着部２５によりエネルギー線が照射された記録媒体Ｐを搬送ドラム２１から排紙部３０に搬送する。デリバリー部２６は、輪状のベルト２６３を複数（例えば、２本）のローラー２６１，２６２により回転駆動してベルト２６３上の記録媒体Ｐを搬送する搬送機構や、記録媒体Ｐを搬送ドラム２１から搬送機構に受け渡す円筒状の受け渡しドラム２６４等を有する。デリバリー部２６は、受け渡しドラム２６４によりベルト２６３に受け渡された記録媒体Ｐをベルト２６３により搬送して排紙部３０に送り出す。
【００３３】
用紙センサ２７は、搬送ドラム２１に保持された記録媒体Ｐを検出する。用紙センサ２７は、例えば、光反射型センサである。
【００３４】
排紙部３０は、デリバリー部２６により画像形成部２０から送り出された記録媒体Ｐを格納する。排紙部３０は、板状の排紙トレー３１等を有し、この排紙トレー３１上に画像形成後の記録媒体Ｐを重ねて載置させる。
【００３５】
インク供給部５０は、インクを貯留し、このインクを画像形成部２０のインクジェットヘッド２４に供給し、各色のインクをインクジェットヘッド２４の吐出ノズルから吐出可能とする。
【００３６】
本実施の形態の画像記録装置１で用いられるインクは、特に限られないが、例えば、紫外線（ＵＶ）硬化型のインクである。この紫外線硬化型インクは、紫外線が照射されない状態では、温度に応じてゲル状態とゾル（液体）状態との間で相変化する。例えば、このインクは、所定の温度、例えば、４０℃〜１００℃程度が相変化温度であり、この相変化温度以上に加熱されることで一様にゾル化（液化）する。一方、このインクは、通常の室温程度（０℃〜３０℃）を含む所定の温度以下では、ゲル化する。
【００３７】
この実施形態の画像記録装置では、インクジェットヘッド２４は、Ｃ、Ｍ、Ｙ、Ｋの各色に対応して４個が設けられているが、インクジェットヘッド２４の個数はなんら限定されず、より多くの色に対応させてより多くの個数のインクジェットヘッドを設けてもよい。インクジェットヘッド２４のインク吐出の方式はなんら限定されず、公知のいかなる方式のインクジェットヘッドであってもよい。また、この画像記録装置では、搬送ドラム２１の回転により記録装置Ｐを搬送しているが、ベルトやローラ等を用いて、記録装置Ｐを平面状態に維持したままで搬送してもよく、さらに、記録装置Ｐを固定し、インクジェットヘッド２４を搬送して、記録媒体Ｐに対して相対的に移動させてもよい。
【００３８】
〔ラインヘッドの配置〕
図２は、前記画像記録装置の要部側面図（ａ）及びラインヘッド上面から搬送ドラムを俯瞰した平面図（ｂ）である。
【００３９】
各ラインヘッドＹ、Ｍ、Ｃ、Ｋは、図２（ａ）（ｂ）に示すように、複数の吐出ノズルが列状に形成された短尺のヘッドモジュールが、吐出ノズル列方向に複数配列されて構成されている。この実施形態では、各ラインヘッドＹ、Ｍ、Ｃ、Ｋは、それぞれ４つのヘッドモジュールＹ−１〜４、Ｍ−１〜４、Ｃ−１〜４、Ｋ−１〜４により構成されている。各ヘッドモジュールは、それぞれ取付部材に取り付けられている。
【００４０】
各ヘッドモジュールＹ−１〜４、Ｍ−１〜４、Ｃ−１〜４、Ｋ−１〜４は、それぞれが複数の記録素子を内蔵している。各記録素子は、インクを貯留する圧力室と、圧力室の壁面に設けられた圧電素子と、吐出ノズルとを備える。ヘッドモジュールの駆動回路から圧電素子へ駆動電圧が印加されると、駆動電圧の大きさに応じて圧力室内の圧力が変化し、圧力室に連通する吐出ノズルからインクが吐出される。図２（ｂ）では、各ヘッドモジュールＹ−１〜４、Ｍ−１〜４、Ｃ−１〜４、Ｋ−１〜４の吐出ノズルを点として描いている。各ヘッドモジュールＹ−１〜４、Ｍ−１〜４、Ｃ−１〜４、Ｋ−１〜４の吐出ノズルは、搬送ドラム２１に対向する側（インク吐出面）に開口している。
【００４１】
各ヘッドモジュールＹ−１〜４、Ｍ−１〜４、Ｃ−１〜４、Ｋ−１〜４が備える複数の吐出ノズルは、搬送ドラム２１に対向する側において、記録媒体Ｐの搬送方向（Ｙ方向）と直交する幅方向（Ｘ方向）に、記録媒体Ｐへの記録幅（例えば３００ｍｍ）に亘って、等間隔に配列されている。
【００４２】
各ラインヘッドＹ、Ｍ、Ｃ、Ｋを構成する各４つのヘッドモジュールＹ−１〜４、Ｍ−１〜４、Ｃ−１〜４、Ｋ−１〜４は、Ｘ方向についての配置範囲が互いに一部重複し、Ｘ方向に沿って１番目と３番目、及び２番目と４番目のヘッドモジュールの記録素子が同一線上に位置し、Ｙ方向の間隔Ｄｎで千鳥格子状に配置されている。ヘッドモジュールの端部は、隣接するヘッドモジュールの端部とＹ方向において重複する。各ヘッドモジュールＹ−１〜４、Ｍ−１〜４、Ｃ−１〜４、Ｋ−１〜４は、例えば３５８４個の記録素子を含み、隣接するヘッドモジュールとＹ方向において重複する記録素子は、例えば５４個である。
【００４３】
各ラインヘッドＹ、Ｍ、Ｃ、Ｋに含まれる記録素子のＸ方向についての配置範囲は、搬送ドラム２１により保持され搬送される記録媒体Ｐのうち画像が記録される領域のＸ方向の幅をカバーしている。各ラインヘッドＹ、Ｍ、Ｃ、Ｋは、少なくとも画像の記録時には、前述したように、搬送ドラム２１に対して位置が固定されて用いられる。
【００４４】
この画像記録装置１において、各ラインヘッドＹ、Ｍ、Ｃ、ＫのＸ方向及びＹ方向の記録解像度は、例えば１２００ｄｐｉであり、各ヘッドモジュールＹ−１〜４、Ｍ−１〜４、Ｃ−１〜４、Ｋ−１〜４の記録素子は、Ｘ方向に１インチ当たり１２００個の密度で配置されている。
【００４５】
定着部２５は、紫外線ＬＥＤランプを有し、搬送ドラム２１の外周面に保持された記録媒体Ｐに対して紫外線ＬＥＤランプの発光により紫外線を照射し、記録媒体Ｐ上に吐出されたインクを硬化させ定着させる。定着部２５は、記録媒体Ｐの搬送方向について各ラインヘッドＹ、Ｍ、Ｃ、Ｋの下流側に配置される。
【００４６】
定着部２５のさらに記録媒体Ｐの搬送方向下流側には、誤差取得手段を構成するインラインセンサ２８が配置されている。インラインセンサ２８は、搬送ドラム２１の外周面に対向して配置され、搬送ドラム２１により保持され搬送される記録媒体Ｐに記録されている画像を撮像し、二次元撮像データを出力する。インラインセンサ２８は、記録媒体Ｐの幅方向（Ｘ方向）に所定の配置間隔で配列された複数の撮像素子を備えたＣＣＤセンサである。ＣＣＤセンサは、図示しない光源から射出され記録媒体Ｐの表面で反射した光の強度に応じた信号を出力する。また、インラインセンサ２８は、撮像素子から出力されたアナログ信号をデジタル信号に変換して制御部４０に出力する回路を備えている。
【００４７】
インラインセンサ２８から出力される撮像データの記録媒体Ｐの幅方向（Ｘ方向）の解像度は、例えば６００ｄｐｉ、記録媒体Ｐの搬送方向（Ｙ方向）の解像度は、例えば３００ｄｐｉである。
【００４８】
各ラインヘッドＹ、Ｍ、Ｃ、Ｋ及びインラインセンサ２８は、搬送ドラム２１の外周面に沿って配置された用紙センサ２７からの距離が、それぞれＤｙ，Ｄｍ，Ｄｃ，Ｄｋ，Ｄｓとなる位置に配置されている。
【００４９】
図３は、前記画像記録装置の制御部の構成を示すブロック図である。
【００５０】
制御部４０は、図３に示すように、ＣＰＵ４０１を有している。ＣＰＵ４０１は、画像記録装置１の全体動作を統括制御し、各種演算及び制御を実行する。ＣＰＵ４０１には、ＲＡＭ４０２及びＲＯＭ４０３が接続されている。ＲＡＭ４０２は、ＣＰＵ４０１に作業用のメモリー空間を提供するとともに、一時データを記憶する。ＲＯＭ４０３は、ＣＰＵ４０１により実行される各種制御用のプログラムや設定データ等を格納する。ＣＰＵ４０１に接続されたインタフェース４０４は、外部装置６０との間でデータの送受信を行う手段であり、各種シリアルインターフェース又は各種パラレルインターフェースのいずれか、あるいはこれらの組み合わせで構成されている。
【００５１】
外部装置６０には、画像入力部４０５が接続されている。画像入力部４０５は、外部装置６０から記録画像データを受信する手段であり、各種シリアルインターフェース又は各種パラレルインターフェースのいずれか、あるいはこれらの組み合わせで構成されている。画像入力部４０５が受信した記録画像データは、画像傾き補正手段ともなる画像処理部４０６に送られる。
【００５２】
画像処理部４０６は、外部装置６０から入力された記録画像データに対して中間調（ハーフトーン）処理等の画像処理を施すとともに、各ヘッドモジュールＹ−１〜４、Ｍ−１〜４、Ｃ−１〜４、Ｋ−１〜４毎の記録画像データに分割する。
【００５３】
図４は、前記画像記録装置の制御部の画像処理部における記録画像データの分割を示す図である。
【００５４】
画像処理部４０６は、図４に示すように、入力された記録画像データを、各ヘッドモジュールＹ−１〜４、Ｍ−１〜４、Ｃ−１〜４、Ｋ−１〜４毎の記録画像データに分割する。すなわち、画像処理部４０６は、入力された記録画像データを、まず、色分解して、Ｙ色の記録画像、Ｍ色の記録画像、Ｃ色の記録画像及びＫ色の記録画像のデータとする。次に画像処理部４０６は、各色の記録画像のデータのそれぞれを、各ヘッドモジュールＹ−１〜４、Ｍ−１〜４、Ｃ−１〜４、Ｋ−１〜４毎の記録画像データに分割する。
【００５５】
図３に示すように、各ヘッドモジュールＹ−１〜４、Ｍ−１〜４、Ｃ−１〜４、Ｋ−１〜４毎の記録画像データに分割された画像データは、記録タイミング補正手段ともなる画像記録制御部４０７に送られる。画像記録制御部４０７は、画像処理部４０６から入力された各ヘッドモジュールＹ−１〜４、Ｍ−１〜４、Ｃ−１〜４、Ｋ−１〜４毎の記録画像データに分割された画像データを一時格納し、制御信号生成部４０８から入力される画像記録制御信号に従って、各ラインヘッド（インクジェット記録部）Ｙ、Ｍ、Ｃ、Ｋへ送出する。
【００５６】
ＣＰＵ４０１に接続された機構制御部４０９は、ＣＰＵ４０１からの司令及び制御信号生成部４０８から入力される制御信号に基づいて、搬送ドラム２１を回転させるモータ等のインクジェット機構部４１０を制御する。
【００５７】
ＣＰＵ４０１に接続されたインラインセンサ制御回路４１１は、ＣＰＵ４０１からの司令及び制御信号生成部４０８から入力される制御信号に基づいて、インラインセンサ２８に所定のタイミングで撮像を行わせるための制御信号を、ラインセンサ２８に出力する。
【００５８】
ＣＰＵ４０１に接続された読取り画像メモリ４１２には、インラインセンサ２８により撮像された画像データが格納される。
【００５９】
図５は、前記画像記録装置における制御信号を示すタイムチャートである。
【００６０】
制御信号生成部４０８から出力される制御信号は、図５に示すように、インク吐出クロックを基準として生成される。インク吐出クロックは、各ヘッドモジュールＹ−１〜４、Ｍ−１〜４、Ｃ−１〜４、Ｋ−１〜４により、搬送方向（Ｙ方向）の所定の記録解像度（１２００ｄｐｉ）で記録するための、インク吐出タイミングを示すクロック信号である。
【００６１】
また、制御信号は、ＩＬＳ（インラインセンサ）画像取得クロックを含んでいる。ＩＬＳ画像取得クロックは、インラインセンサ２８の、搬送方向（Ｙ方向）の所定の解像度（３００ｄｐｉ）で画像取得をするための、画像取得タイミングを示すクロック信号である。
【００６２】
また、制御信号は、ＩＬＳ（インラインセンサ）画像取得期間信号を含んでいる。ＩＬＳ画像取得期間信号は、インラインセンサ２８による画像取得を行う期間を示す信号である。
【００６３】
制御信号は、用紙センサ信号を含んでいる。用紙センサ信号は、用紙センサ２７が搬送ドラム２１上の記録媒体Ｐ（長さＬ）の始端及び終端を検出したことを示す信号である。
【００６４】
制御信号は、各ヘッドモジュールＹ−１〜４、Ｍ−１〜４、Ｃ−１〜４、Ｋ−１〜４毎の記録期間を制御する記録期間信号を含んでいる。記録期間信号は、各ヘッドモジュールＹ−１〜４、Ｍ−１〜４、Ｃ−１〜４、Ｋ−１〜４毎の、インク吐出（画像記録）期間を示す信号である。インク吐出期間には、各ヘッドモジュールＹ−１〜４、Ｍ−１〜４、Ｃ−１〜４、Ｋ−１〜４には、記録画像データが送出される。
【００６５】
このように構成された本実施形態の画像記録装置１においては、記録位置補正方法を実行する場合には、インクジェットヘッド２４を検知チャート印刷手段として用いて、各ラインヘッドＹ、Ｍ、Ｃ、Ｋにより、各ヘッドモジュールＹ−１〜４、Ｍ−１〜４、Ｃ−１〜４、Ｋ−１〜４の記録媒体Ｐの搬送方向（Ｙ方向）の画像記録位置の基準位置に対する位置誤差と、各ヘッドモジュールＹ−１〜４、Ｍ−１〜４、Ｃ−１〜４、Ｋ−１〜４の傾きの基準線（吐出ノズル列）に対する傾き誤差と、を検知するための検知チャートを印刷する。
【００６６】
画像記録装置が印刷する検知チャートは、各ヘッドモジュールＹ−１〜４、Ｍ−１〜４、Ｃ−１〜４、Ｋ−１〜４に位置誤差及び傾き誤差がなければ、画像データ通りの正しい形状に印刷されるのであるが、位置誤差及び傾き誤差により、画像データとは異なる形状に印刷される。印刷された検知チャートにおける画像データに対する差異を検知することによって、各ヘッドモジュールＹ−１〜４、Ｍ−１〜４、Ｃ−１〜４、Ｋ−１〜４の位置誤差及び傾き誤差を検知することができる。
【００６７】
図６は、前記画像記録装置が印刷する検知チャートを示す図である。
【００６８】
画像記録装置が印刷する検知チャートは、図６に示すように、隣接する各ヘッドモジュールＹ−１〜４、Ｍ−１〜４、Ｃ−１〜４、Ｋ−１〜４の記録領域の境界部に、隣接ヘッドモジュール間の位置誤差を検知するための第１の検知パターンを有する。第１の検知パターンは、同一のラインヘッド内で隣接するヘッドモジュール間で、一方のヘッドモジュールの位置を基準位置とする他方のヘッドモジュールの位置誤差を示すものである。
【００６９】
また、検知チャートは、第１のラインヘッド（Ｋ色）を除く第２のラインヘッド（Ｙ、Ｍ、Ｃ色）の各ヘッドモジュールの記録領域端部近傍に、Ｋ色の記録位置を基準とする色間の位置誤差を検知するための第２の検知パターンを有する。第２の検知パターンは、第２のラインヘッドの各ヘッドモジュールに対応する第１のラインヘッドの各ヘッドモジュールによる記録位置を基準位置とする第２のラインヘッドの各ヘッドモジュールの位置誤差を示すものである。
【００７０】
なお、同一のラインヘッドの位置誤差検知パターン（第１の検知パターン及び第２の検知パターン）を、記録媒体Ｐの搬送方向について同じ位置に（幅方向に並べて）印刷することにより、記録媒体Ｐの搬送速度の微細な変動などの外乱要因を低減することができる。
【００７１】
この記録位置補正方法においては、後述するように、第１のラインヘッド（Ｋ色）についての位置誤差は、第１のラインヘッド（Ｋ色）のいずれか一つのヘッドモジュールＫ−１〜４を位置基準とする隣接するヘッドモジュールＫ−１〜４についての位置誤差と、この隣接するヘッドモジュールＫ−１〜４を位置基準とするさらに隣接するヘッドモジュールＫ−１〜４についての位置誤差と、順次隣接するヘッドモジュールＫ−１〜４についての直近のヘッドモジュールＫ−１〜４を位置基準とする位置誤差とを全て含む。
【００７２】
また、第２のラインヘッド（Ｙ色、Ｍ色、Ｃ色）の各ヘッドモジュールＹ−１〜４、Ｍ−１〜４、Ｃ−１〜４の位置誤差は、各ヘッドモジュールＹ−１〜４、Ｍ−１〜４、Ｃ−１〜４に対応する第１のラインヘッド（Ｋ色）の各ヘッドモジュールＫ−１〜４による画像記録タイミングの補正後の記録位置を基準位置とする位置誤差であることが好ましい。
【００７３】
さらに、第２のラインヘッド（Ｙ色、Ｍ色、Ｃ色）についての位置誤差は、第１のラインヘッド（Ｋ色）のいずれか一つのヘッドモジュールＫ−１〜４を位置基準とする第２のラインヘッド（Ｙ色、Ｍ色、Ｃ色）のいずれか一つのヘッドモジュールＹ−１〜４、Ｍ−１〜４、Ｃ−１〜４の位置誤差と、第２のラインヘッド（Ｙ色、Ｍ色、Ｃ色）のいずれか一つのヘッドモジュールＹ−１〜４、Ｍ−１〜４、Ｃ−１〜４を位置基準とする隣接するヘッドモジュールＹ−１〜４、Ｍ−１〜４、Ｃ−１〜４についての位置誤差と、この隣接するヘッドモジュールＹ−１〜４、Ｍ−１〜４、Ｃ−１〜４を位置基準とするさらに隣接するヘッドモジュールＹ−１〜４、Ｍ−１〜４、Ｃ−１〜４についての位置誤差と、順次隣接するヘッドモジュールＹ−１〜４、Ｍ−１〜４、Ｃ−１〜４についての直近のヘッドモジュールを位置基準とする位置誤差とを全て含むことが好ましい。
【００７４】
図７は、前記検知チャートにおける第１及び第２の検知パターンを示す図である。
【００７５】
第１の検知パターン（隣接ヘッドモジュール間の位置誤差検知パターン）と、第２の検知パターン（色間の位置誤差検知パターン）とは、図７に示すように、同一構造であり、基準側ヘッドモジュール及び誤差検知側ヘッドモジュールのそれぞれにより、４個の位置決めマークに囲まれた領域の規定位置に、複数の位置検知線を等間隔で印刷したものである。誤差検知側ヘッドモジュールによる位置検知線は、基準側ヘッドモジュールによる位置検知線とは異なる間隔（例えば、１６ライン間隔及び１８ライン間隔）で記録する。また、基準側ヘッドモジュールによる位置検知線及び誤差検知側ヘッドモジュールによる位置検知線のそれぞれには、仮想線番号が付与されている。基準側ヘッドモジュールによる位置検知線及び誤差検知側ヘッドモジュールによる位置検知線において、中央の検知線（仮想線番号０）は、位置誤差がないときには、記録媒体Ｐの搬送方向（Ｙ方向）の位置が一致している。
【００７６】
図７に示す位置誤差検知パターンでは、基準側ヘッドモジュールによる位置検知線と誤差検知側ヘッドモジュールによる位置検知線との記録間隔の差が２ラインで、中央の検知線（仮想線番号０）に対して２ずつ増減する仮想線番号を付与している。この実施形態では、仮想線番号の増減を２ずつ（整数値）にしているが、この増減値は限定されず、また、位置誤差は、整数値であるとは限らない。
【００７７】
〔位置誤差の検知〕
以下、位置誤差の取得について説明する。
図８は、位置誤差の取得方法を説明する図である。
【００７８】
まず、図８（ａ）に示すように、インラインセンサ２８による検知チャートの読取り画像から、各位置誤差検知パターンを含む矩形領域をそれぞれ切り出す。これら矩形領域は、予め位置が判っている。次に、基準側ヘッドモジュールによる位置検知線を基準として、誤差検知側ヘッドモジュールによる位置検知線の位置誤差を検知する。位置誤差の検知は、図８（ｂ）に示すように、位置誤差検知パターンを含む矩形領域画像から、基準側及び誤差検知側の各位置検知線の座標（Ｙ座標）を求め、仮想線番号をｘ軸として一次元近似（直線近似）を行う。２つの一次元近似（直線近似）の交点の仮想線番号を算出し、その符号を反転したものが、基準側ヘッドモジュールを基準とする、誤差検知側ヘッドモジュールの位置誤差となる。
【００７９】
隣接ヘッドモジュール間の位置誤差も、色間の位置誤差も、同様の方法によって求めることができる。
【００８０】
図９は、位置誤差検知パターンの拡大図である。
【００８１】
図９（ａ）に示す位置誤差検知パターンの読取画像より、検知線の座標を取得するには、図９（ｂ）に示すように、読取画像における紙面（白）の輝度を閾値として、この閾値より輝度が小さい（暗い）領域に検知線があるとみなし、この領域の輝度値を反転した濃度重心座標（Ｙ座標）を求め、この座標を検知線の座標とする。
【００８２】
色間の位置誤差は、検知線の読取画像の輝度振幅が最も大きくなる（最も明度の低い）色材（Ｋ色）を基準色として求めることが好ましい。輝度振幅が最も大きい色材による検知線の読取画像は、記録媒体Ｐの表面状態（微細な凹凸）などに起因する変動（雑音成分）の影響が小さいからである。なお、図９には、２本の検知線のみを示している。また、検知線の座標は、整数値であるとは限らない。
【００８３】
〔位置誤差の補正〕
この画像記録装置１においては、制御信号生成部４０８を記録タイミング補正手段として用いて、位置誤差に基づいて、各ヘッドモジュールＹ−１〜４、Ｍ−１〜４、Ｃ−１〜４、Ｋ−１〜４それぞれの記録期間のタイミングを変更することにより、それぞれの記録媒体Ｐの搬送方向の画像記録位置を補正することができる。
【００８４】
〔傾き誤差の検知〕
Ｋ色用のヘッドモジュールＫ−１〜４を基準として、Ｃ色用のヘッドモジュールＣ−１〜４の傾き誤差を検知する方法を説明する。
図１０は、傾き誤差取得のための位置誤差の取得を説明する図である。
【００８５】
図１０に示すように、ヘッドモジュールＣの左端側及び右端側それぞれの、Ｃ−Ｋ間の位置誤差検知パターンから、Ｋ色を基準とするＣ色の位置誤差を検出する。図１０では、（＋２）及び（−２）が検知される。
【００８６】
図１１は、傾き誤差の取得方法を説明する図である。
【００８７】
図１１（ａ）に示すように、Ｃ色用のヘッドモジュールＣの左端側及び右端側の位置誤差（Ｋ色基準）が（＋２）、（−２）であるとき、図１１（ｂ）に示すように、ヘッドモジュールＣの左端側及び右端側のうち位置誤差の大きい方を「Ｃ傾き基準点」として、ヘッドモジュールＣの傾き誤差に換算する。図１１（ｂ）では、傾き誤差は、（−４）となる。このような換算により、傾き補正の方向を、１方向に限定することができる。なお、位置誤差の大きい端を「傾き基準点」とすることにより、補正すべき方向が１方向（＋）に限定される。なお、ここでは位置誤差を整数値として例示しているが、前述したように、位置誤差は整数値であるとは限らない。
【００８８】
〔傾き誤差の補正〕
この画像記録装置１では、図１１（ｃ）に示すように、取得された傾き誤差に基づいて傾き補正を行う。傾き補正は、画像処理部４０６を画像傾き補正手段として用いて、ヘッドモジュールＣの記録媒体Ｐに記録する記録画像の傾きの補正（記録画像を菱形にする補正）によって行う。
【００８９】
基準のヘッドモジュールＫの基準線（吐出ノズル列）を基準とする傾き誤差を補正した場合には、図１１（ｃ）に示すように、ヘッドモジュールＣの左端側及び右端側は、ともに基準のヘッドモジュールＫを基準とする位置誤差のみを有する状態となる。この位置誤差を補正する方向に、図１１（ｄ）に示すように、ヘッドモジュールＣの画像記録タイミングを変更して位置補正することが好ましい。
【００９０】
図１２は、ヘッドモジュールの傾き補正を説明する図である。
【００９１】
前述したようにヘッドモジュール毎に分割された記録画像データにおいて、図１２に示すように、傾き補正が必要なモジュールの記録画像データの傾き補正は、整数ライン単位での補正となる。そのため、左端−右端間の必要な補正量を記録画像データ幅で按分し、近い整数値に丸め込み（四捨五入し）、記録画像データを補正方向にシフトする。
【００９２】
なお、ヘッドモジュール毎に分割された記録画像データの傾き補正は、その画像データ全体の補正処理であり、処理時間などの負荷が大きくなることがある。その場合には、ヘッドモジュールの微細な（例えば０．１ｍｍ未満）傾きの補正を省略しても、印刷画像上での色ずれ許容値を満たすと判断されるならば、記録画像データの傾きの補正は、ヘッドモジュールの傾き誤差が所定の許容値を超えている場合にのみ行うようにしてもよい。
【００９３】
〔位置誤差及び傾き誤差の補正〕
この画像記録装置１では、インラインセンサ２８を誤差取得手段として用いて、検知チャートを読み取り、各ヘッドモジュールＹ−１〜４、Ｍ−１〜４、Ｃ−１〜４、Ｋ−１〜４の位置誤差及び傾き誤差を取得する。次に、制御信号生成部４０８を記録タイミング補正手段として用いて、取得された位置誤差に基づいて、第１のラインヘッド（Ｋ色）の各ヘッドモジュールＫ−１〜４それぞれの画像記録タイミングを変更することにより、それぞれの記録媒体Ｐの搬送方向の画像記録位置を補正する。さらに、画像処理部４０６を画像傾き補正手段として用いて、取得された傾き誤差に基づいて、第２のラインヘッド（Ｙ色、Ｍ色、Ｃ色）の各ヘッドモジュールＹ−１〜４、Ｍ−１〜４、Ｃ−１〜４それぞれの記録媒体Ｐに記録する記録画像の傾きを補正する。
【００９４】
前述のように傾き誤差を補正した場合には、ヘッドモジュールの左端側及び右端側は、ともに基準のヘッドモジュール（Ｋ色）を基準とする位置誤差のみを有する状態となる。さらに、この位置誤差を補正する方向に、各ヘッドモジュールの画像記録タイミングを変更して補正することが好ましい。
【００９５】
すなわち、この画像記録装置１では、記録タイミング補正手段により位置誤差に基づいて画像記録タイミングを補正し、画像傾き補正手段により傾き誤差に基づいて記録画像の傾きを補正した後に、記録画像の傾きの補正に基づいて、画像記録タイミングを再補正して、第２のラインヘッド（Ｙ色、Ｍ色、Ｃ色）の各ヘッドモジュールＹ−１〜４、Ｍ−１〜４、Ｃ−１〜４による記録媒体Ｐへの画像記録位置を再補正することが好ましい。
【００９６】
以下、具体的な位置補正及び傾き誤差の手順を説明する。
図１３は、位置誤差及び傾き誤差がない場合の検出パターン（ａ）及びヘッドモジュールの配置を示す図（ｂ）である。
図１３〜図１６において、細実線は、記録媒体Ｐの幅方向のＫ色の直線を示し、太破線は、記録媒体Ｐの幅方向のＣ色の直線を表す。なお、記録媒体Ｐの搬送方向の位置誤差を誇張して示している。また、誤差の検知値を整数値として示しているが、検知値は整数値であるとは限らない。
【００９７】
この例では、基準となる第１のラインヘッドをＫ色用とし、第２のラインヘッドをＣ色用として説明する。Ｙ色用及びＭ色用のラインヘッドも、この例におけるＣ色用のラインヘッドと同様に補正することができる。
【００９８】
図１３に示すように、第１のラインヘッド（Ｋ色）及び第２のラインヘッド（Ｃ色）に位置誤差及び傾き誤差がない場合には、これらラインヘッドＫ、Ｃにより印刷したＫ色の直線及びＣ色の直線のいずれにも、位置ずれも傾きも生じない。
【００９９】
図１４は、位置誤差及び傾き誤差がある場合の検出パターン（ａ）及びヘッドモジュールの配置を示す図（ｂ）である。
【０１００】
図１４に示すように、隣接するヘッドモジュールＫ−１、Ｋ−２の境界部に位置誤差があり、ヘッドモジュールＫ−２〜Ｋ−４の範囲では、境界部に位置誤差はないが、ヘッドモジュールＫ−３が他のヘッドモジュールＫ−２，Ｋ−４に対して傾いている場合について説明する。Ｋ色直線には、これら位置ずれ及び傾きに相当する位置誤差及び傾き誤差が現れている。
【０１０１】
ヘッドモジュール及びラインヘッドの実装時の位置調整により、±０．２ｍｍ以下の位置精度を実現することが可能であるが、図１４に示す隣接するヘッドモジュールＫ−１、Ｋ−２間のように、ヘッドモジュールの境界部に位置誤差があり、その位置にハーフトーンスクリーンのような規則的なパターンを印刷する場合には、位置誤差が微細（例えば０．０５ｍｍ程度）であっても、規則性が崩れるために視認されやすい。また、図１４に示すＣ色−Ｋ色間のように、異なる色間で位置誤差がある場合には、その差が微細（例えば０．１ｍｍ程度）であっても、印刷された画像上では色ずれとして視認される。
【０１０２】
一方、図１４に示す他のヘッドモジュールＫ−２、Ｋ−４に対してヘッドモジュールＫ−３が傾いているような場合には、各ヘッドモジュールＫ−２、Ｋ−３、Ｋ−４により記録される直線（それぞれ約７０ｍｍ）に対して、実装位置精度に相当するする傾きは、ほぼ視認されない。
【０１０３】
図１５は、位置誤差を補正したＫ色直線（ａ）及び位置誤差と傾き誤差を補正したＣ色直線（ｂ）である。
【０１０４】
そこで、第１のラインヘッド（Ｋ色）については、図１５（ａ）に示すように、ヘッドモジュールの位置誤差のみを補正して、ヘッドモジュールの境界部においてＫ色直線に段差が生じないように「つなぎ補正」を行い、第２のラインヘッド（Ｃ色）については、図１５（ｂ）に示すように、ヘッドモジュールの位置誤差及び傾き誤差を補正して、第１のラインヘッド（Ｋ色）を基準として「色ずれ補正」を行うことが好ましい。
【０１０５】
上述のように、この記録位置補正方法、画像記録装置及び記録位置補正プログラムにおいては、同一のラインヘッド内の各ヘッドモジュールＹ−１〜４、Ｍ−１〜４、Ｃ−１〜４、Ｋ−１〜４が記録する画像間のつながりを実現する補正と、異なるラインヘッドの対応するヘッドモジュールＹ−１〜４、Ｍ−１〜４、Ｃ−１〜４、Ｋ−１〜４が記録する画像間の記録位置の一致を実現する補正（色ズレ補正）とを両立することができる。
【０１０６】
〔位置誤差及び傾き誤差の具体的な数値の補正〕
以下、具体的な数値を挙げつつ位置補正及び傾き誤差の手順を説明する。なお、説明中の数値は例示であり、発明を限定する数値ではない。本実施形態では、ラインヘッド毎の位置基準を、記録媒体Ｐの幅方向中央位置としている。
【０１０７】
この例では、基準となる第１のラインヘッドをＫ色用とし、第２のラインヘッドをＣ色用として説明する。Ｙ色用及びＭ色用のラインヘッドも、この例におけるＣ色用のラインヘッドと同様に補正することができる。
【０１０８】
まず、〔表１〕に示すように、第１のラインヘッド（Ｋ色）の隣接するヘッドモジュール（ＨＭ）間の位置誤差を検知する。
【表１】
2020124901.tif 000003
【０１０９】
次に、〔表２〕に示すように、第２のラインヘッド（Ｃ色）の隣接するヘッドモジュール間の位置誤差を検知する。
【表２】
2020124901.tif 000004
【０１１０】
〔表３〕に示すように、第１のラインヘッド（Ｋ色）と第２のラインヘッド（Ｃ色）との色間の位置誤差を検知する。
【表３】
2020124901.tif 000005
【０１１１】
〔表３〕の検知値を用いて、〔表４〕に示すように、位置誤差の大きい方を「Ｃ傾き基準点」として「Ｃ傾き誤差」に換算する。
【表４】
2020124901.tif 000006
【０１１２】
〔表４〕の数値から、〔表５〕に示すように、「Ｃ傾き誤差」を相殺する補正量を決定する。
【表５】
2020124901.tif 000007
【０１１３】
〔表６〕に示すように、〔表５〕の補正量に基づく補正結果を用いて、〔表２〕の「第２のラインヘッド（Ｃ色）の隣接ヘッドモジュール間の位置誤差（検知値）」を補正する。この補正は、Ｃ色右端換算傾き（表５−Ｃ−１右端〜Ｃ−３右端）を位置誤差（表２）から減算し、Ｃ色左端換算傾き（表５−Ｃ−２左端〜Ｃ−４左端）を位置誤差（表２）に加算する。
【表６】
2020124901.tif 000008
【０１１４】
〔表７〕に示すように、〔表５〕の補正量に基づく補正結果を用いて、〔表３〕の「第１のラインヘッド（Ｋ色）と第２のラインヘッド（Ｃ色）との色間の位置誤差（検知値）」を補正する。この補正は、Ｃ色左右端の補正量（表５−Ｃ−１左端〜Ｃ−４左端、Ｃ−１右端〜Ｃ−４右端）をそれぞれ位置誤差（表３）に加算する。
【表７】
2020124901.tif 000009
【０１１５】
このような「第１のラインヘッド（Ｋ色）と第２のラインヘッド（Ｃ色）との色間の位置誤差」の補正の結果、ヘッドモジュール左右端の位置誤差が同一となり、左右端の区別なくヘッドモジュール毎に一意の「第１のラインヘッド（Ｋ色）と第２のラインヘッド（Ｃ色）との色間の位置誤差」となる。
【０１１６】
左右端の区別がないので、〔表８〕に示すように、Ｃ色傾き補正（表５）を反映した「第１のラインヘッド（Ｋ色）と第２のラインヘッド（Ｃ色）との色間の位置誤差」が求められる。
【表８】
2020124901.tif 000010
【０１１７】
〔表１〕の「第１のラインヘッド（Ｋ色）の隣接するヘッドモジュール間の位置誤差（検知値）」と、〔表６〕の「第２のラインヘッド（Ｃ色）の隣接するヘッドモジュール間の位置誤差（Ｃ傾き誤差（表５）を反映した補正値）」と、〔表８〕の「第１のラインヘッド（Ｋ色）と第２のラインヘッド（Ｃ色）との色間の位置誤差（Ｃ傾き補正（表５）を反映した補正値）」とから、各ヘッドモジュールについて画像記録タイミングの補正量を決定する。
【０１１８】
〔画像記録タイミングの補正量の決定手順（１）〕
〔表９〕に示すように、〔表１〕の位置誤差（検知値）から、ヘッドモジュールＫ−３を基準位置として、他のヘッドモジュールＫ−１、Ｋ−２、Ｋ−４の位置誤差を求める。
【表９】
2020124901.tif 000011
【０１１９】
〔表１０〕に示すように、〔表６〕の位置誤差（補正値）から、ヘッドモジュールＣ−３を基準位置として、他のヘッドモジュールＣ−１、Ｃ−２、Ｃ−４の位置誤差を求める。
【表１０】
2020124901.tif 000012
【０１２０】
〔表１１〕に示すように、〔表１０〕の位置誤差に、〔表８〕のＣ傾き補正を反映して補正したヘッドモジュールＣ−３、Ｋ−３間の色間の位置誤差を加算し、ヘッドモジュールＫ−３を基準とする第２のラインヘッド（Ｃ色）の各ヘッドモジュールＣ−１、Ｃ−２、Ｃ−３、Ｃ−４の位置誤差を求める。
【表１１】
2020124901.tif 000013
【０１２１】
〔表１２〕に示すように、〔表９〕及び〔表１１〕から、ヘッドモジュールＫ−３を基準とする位置誤差を相殺するように、各ヘッドモジュールＫ−１、Ｋ−２、Ｋ−４、Ｃ−１、Ｃ−２、Ｃ−３、Ｃ−４の画像記録タイミングの補正量を決定する。
【表１２】
2020124901.tif 000014
【０１２２】
実際に設定可能な補正量は、ライン単位の整数値であるので、ここで決定した画像記録タイミングの補正量が整数値でない場合には、最も近い整数値を補正量として採用する。
【０１２３】
〔画像記録タイミングの補正量の決定手順（２）〕
〔表１３〕に示すように、〔表１〕の位置誤差（検知値）から、ヘッドモジュールＫ−３を基準位置として、他のヘッドモジュールＫ−１、Ｋ−２、Ｋ−４の位置誤差を求める。
【表１３】
2020124901.tif 000015
【０１２４】
〔表１４〕に示すように、〔表８〕の色間の位置誤差（補正値）に〔表１３〕の隣接するヘッドモジュール間の位置誤差をそれぞれ加算すると、ヘッドモジュールＫ−３を基準位置とする第２のラインヘッド（Ｃ色）の各ヘッドモジュールＣ−１、Ｃ−２、Ｃ−３、Ｃ−４の位置誤差が求められる。
【表１４】
2020124901.tif 000016
【０１２５】
〔表１５〕に示すように、〔表１３〕及び〔表１４〕から、ヘッドモジュールＫ−３を基準とする位置誤差を相殺するように、各ヘッドモジュールＫ−１、Ｋ−２、Ｋ−４、Ｃ−１、Ｃ−２、Ｃ−３、Ｃ−４の画像記録タイミングの補正量を決定する。
【表１５】
2020124901.tif 000017
【０１２６】
実際に設定可能な補正量は、ライン単位の整数値であるので、ここで決定した画像記録タイミングの補正量が整数値でない場合には、最も近い整数値を補正量として採用する。
【０１２７】
〔記録位置補正方法の動作〕
図１７は、位置誤差及び傾き誤差の補正手順を示すフローチャートである。
【０１２８】
この画像記録装置１において記録位置補正方法を実行すると、図１７に示すように、Ｓ１で記録位置補正を開始し、Ｓ２で検知チャートを印刷し、Ｓ３に進む。
【０１２９】
Ｓ３では、検知チャートを読取り、Ｓ４に進む。Ｓ４では、検知パターンを切り出し、誤差検知を開始して、Ｓ５に進む。Ｓ５では、第２のラインヘッド（Ｙ色、Ｍ色、Ｃ色）の各ヘッドモジュールの傾き補正量を算出し、Ｓ６に進む。Ｓ６では、第２のラインヘッド（Ｙ色、Ｍ色、Ｃ色）の各ヘッドモジュールによる記録画像データの傾き補正を行って、Ｓ７に進む。Ｓ７では、位置誤差の検知値を補正し、Ｓ１１又はＳ２１に進む。
【０１３０】
Ｓ８では、画像記録タイミングの補正量を決定し、Ｓ９に進んで終了する。
【０１３１】
Ｓ１１では、ヘッドモジュール間の位置誤差の算出を開始し、Ｓ１２に進む。Ｓ１２では、第２のラインヘッド（Ｙ色、Ｍ色、Ｃ色）内の隣接するヘッドモジュール間の位置誤差を算出し、Ｓ１３に進む。Ｓ１３では、第２のラインヘッド（Ｙ色、Ｍ色、Ｃ色）の代表ヘッドモジュールの色間の位置誤差を加算し、Ｓ８に進む。
【０１３２】
Ｓ２１では、ヘッドモジュール間の位置誤差の算出を開始し、Ｓ２２に進む。Ｓ２２では、第１のラインヘッド（Ｋ色）内の隣接するヘッドモジュール間の位置誤差を算出し、Ｓ２３に進む。Ｓ２３では、第２のラインヘッド（Ｙ色、Ｍ色、Ｃ色）の各ヘッドモジュールの色間の位置誤差を加算し、Ｓ８に進む。
【符号の説明】
【０１３３】
１  インクジェット記録装置
１０  給紙部
２０  画像形成部
２１  搬送ドラム
２３  用紙加熱部
２４  インクジェットヘッド
２５  定着部
２７  用紙センサ
２８  インラインセンサ
３０  排紙部
４０  制御部
５０  インク供給部
４０６  画像処理部
４０７  画像記録制御部
４０９  機構制御部
Ｙ  第２のラインヘッド
Ｙ−１〜４  ヘッドモジュール
Ｍ  第２のラインヘッド
Ｍ−１〜４  ヘッドモジュール
Ｃ  第２のラインヘッド
Ｃ−１〜４  ヘッドモジュール
Ｋ  第１のラインヘッド
Ｋ−１〜４  ヘッドモジュール
Ｐ  記録媒体
Ｘ  幅方向
Ｙ  搬送方向
【図１】
2020124901.tif 000018
【図２】
2020124901.tif 000019
【図３】
2020124901.tif 000020
【図４】
2020124901.tif 000021
【図５】
2020124901.tif 000022
【図６】
2020124901.tif 000023
【図７】
2020124901.tif 000024
【図８】
2020124901.tif 000025
【図９】
2020124901.tif 000026
【図１０】
2020124901.tif 000027
【図１１】
2020124901.tif 000028
【図１２】
2020124901.tif 000029
【図１３】
2020124901.tif 000030
【図１４】
2020124901.tif 000031
【図１５】
2020124901.tif 000032
【図１６】
2020124901.tif 000033